(57)【要約】【課題】  操作性に優れた安価な両面プリント可能な画像形成装置の提供。【解決手段】  プロセスカ−トリッジが着脱可能な画像形成装置において、  両面搬送ガイドと支点を中心に開閉するカバーがあって、両面搬送ガイドは開閉するカバーに設けられ、カバーを開いた時に、両面搬送ガイドがプロセスカ−トリッジ挿入ガイドを成す。【選択図】  図１
2009031508.tif 000002
【特許請求の範囲】
【請求項１】
プロセスカ−トリッジが着脱可能なシ−トに画像を形成する画像形成装置において、
前記シ−トの搬送をガイドするガイド部材と支点を中心に開閉する外装部材があって、
前記シ−ト搬送ガイド部材は前記開閉する外装部材に設けられ、
前記開閉する外装部材を開いた時に、前記シ−ト搬送ガイド部材が前記プロセスカ−トリッジ挿入ガイドを成すことを特徴とする画像形成装置。
【請求項２】
前記シート搬送ガイド部材が1面の印字が終了したシ−トを2面目の印字を行うために再び画像形成部に導くための両面搬送ガイドであることを特徴とする請求項1記載の画像形成装置。
【請求項３】
前記画像形成装置は前記シ−トを排出する排出ローラを有し、
前記開閉する外装部材の支点が前記排出ロ−ラ−の中心と概ね同一上であることを特徴とする請求項1,2記載の画像形成装置。
【請求項４】
前記画像形成装置がレ−ザ−光を感光ドラムに照射して画像を形成する画像形成装置であって、
両面搬送路が光路を横切るように配置され、前記シ−ト搬送ガイドが光路を境に分割され、一方のシ−ト搬送ガイドがプロセスカ-トリッジの挿入ガイドを他方のシ−ト搬送ガイドがプロセスカ-トリッジを挿入した時に位置決めされることを特徴とする請求項1〜3記載の画像形成装置。
【発明の詳細な説明】
【技術分野】
【０００１】
本発明はレ−ザ−を照射して画像を形成する画像形成装置に関し、特に本体に着脱可能なプロセスカ-トリッジの挿入に関するものである。
【背景技術】
【０００２】
従来のプロセスカ-トリッジ（以下カ−トリッジと呼ぶ）を用いた画像形成装置においては、カ-トリッジが本体に着脱可能とする方式を採用することにより、メンテナンスがサ-ビスマンによらず、ユ−ザ−自身で行うことができるので、広く用いられている。
【０００３】
カ-トリッジが着脱可能な画像形成装置としては、本体上部に開閉可能なカバーと本体側面にカバ-の開口部まで延ばしたU字形状ガイドを有し、画像形成装置のカバ-を開けて前記U字開口部にカ-トリッジに設けたボスを入れて装着するものがある。
【０００４】
ユ−ザ−はカ-トリッジを持ち、カバーを開けてU字開口部にカ-トリッジのボスを入れて装着を行う。
（例えば、特許文献1,2参照）
【特許文献１】特開2004−333637号公報
【特許文献２】特開2005−275341号公報
【発明の開示】
【発明が解決しようとする課題】
【０００５】
しかしながら、上記従来例ではカ-トリッジの挿入ガイドがカバーを開けた時の開口部までしかなかった。そこで、ユ−ザ−はカ-トリッジを持って、開口部に設けたU字部にカ-トリッジのボスを合わせて入れなくてはならず、挿入する度に注意を払わなければならずストレスとなっていた。
【０００６】
これによりカ-トリッジを不用意にぶつけることもあり、装置または本体損傷に至るという欠点があった。
【０００７】
本出願に係る第１の発明の目的はシ−ト搬送ガイドが開閉するカバーを開いた際にカ−トリッジ挿入ガイドを兼ねることにより安価な構成でユ−ザ−がカ−トリッジ挿入操作を容易にできる画像形成装置を提供するものである。
【０００８】
本出願に係る第２の発明の目的は自動両面印字可能な画像形成装置において、両面搬送ガイドがカ−トリッジ挿入ガイドを兼ねることにより装置の外まで延びた認識し易い挿入ガイドとなりユ−ザ−がカ−トリッジ挿入操作を容易にできる画像形成装置を提供するものである。
【０００９】
本出願に係る第３の発明の目的は、開閉カバーの回動中心をシ−ト排出ロ−ラーの回転中心とほぼ同軸上にすることにより開閉するカバ-を開いた時に前記シ−ト搬送ガイドが排出ロ−ラーに干渉することなく機外に延びてカ-トリッジの挿入ガイドになるので駆動する排出ロ-ラ-を移動することなく開閉できる。
【００１０】
本出願に係る第4の発明の目的は両面搬送ガイドがカ−トリッジの位置決め部材になるので新たな位置決め部を必要とせず安価な画像形成装置を提供できる。
【課題を解決するための手段】
【００１１】
プロセスカ−トリッジが着脱可能なシ−トに画像を形成する画像形成装置において、
前記シ−トの搬送をガイドするガイド部材と支点を中心に開閉する外装部材があって、
前記シ−ト搬送ガイド部材は前記開閉する外装部材に設けられ、
前記開閉する外装部材を開いた時に、前記シ−ト搬送ガイド部材が前記プロセスカ−トリッジ挿入ガイドを成すことを特徴とする。
【発明の効果】
【００１２】
以上説明したように、本発明によれば、シ−ト搬送ガイド部材がプロセスカ−トリッジ挿入のためのガイド部材になっているので新たなガイドを必要とせず安価でユ−ザ−が満足する操作性を有する画像形成装置を提供できる。
【発明を実施するための最良の形態】
【００１３】
（実施例１）
本発明に係る画像形成装置の第一実施形態について、図を用いて説明する。
【００１４】
（画像形成装置の全体構成）
まず、図1を用いて画像形成装置の全体構成について説明する。
【００１５】
Ｍは電子写真方式を採用した画像形成装置である。
【００１６】
給送部に収納されたシートＳは給送ローラ2によって一枚ずつ分離給送され、所定のタイミングで給送する。
【００１７】
画像形成手段であるカートリッジＣの電子写真感光体である感光体ドラム5は、不図示の帯電手段によって一様に帯電された後に、露光手段であるレーザースキャナユニット1からのレーザ光1´によって潜像が形成され、不図示の現像手段によって潜像にトナーを付着させることによって感光体ドラム5上にトナー像が形成される。形成されたトナー像は、転写手段である転写ローラ6によってシートＳに転写される。
【００１８】
トナー像を転写されたシートＳは、感光体ドラム5と転写ローラ6の搬送力によって公知の定着手段である定着装置7へと搬送される。シートＳは定着装置により、熱と圧力を印加されることによってトナー像を定着される。
【００１９】
14はガイド10に設けられたシ−ト状弾性部材である。シ−ト状弾性部材の一端はガイド17に接している。
【００２０】
定着を終えたシ−トはガイド17によってガイドされながら弾性部材19に導かれる。シ−ト先端が弾性部材14に接するとシ−トＳの腰で持ち上がり、実線矢印方向に回転する正逆転ロ−ラ8に導かれる。8´は正逆転ロ−ラーに圧接している従動ロ−ラ−である。
【００２１】
シ−トの２面に印字する場合、シ−ト後端が弾性部材14を抜けたことを図示していない検出手段で検出すると正逆転ロ−ラ対8は逆回転する（破線矢印方向）。
【００２２】
シ−トＳはスイッチバックして弾性部材14によりガイド10に導かれる。
【００２３】
シ−トＳは、ガイド10とガイド11によりガイドされながらスキャナー1からのレ−ザ−光路を横切ってガイド12,13へと導かれる。
【００２４】
15は外光がカ−トリッジCに届かないようにする遮蔽板である。
【００２５】
ロ−ラー16は斜光板にバネ等で接触している。
【００２６】
ガイド12,13に導かれたシ−トSは遮蔽板15にガイドにされ、ロ−ラー16に導かれる。
【００２７】
シ−トＳは、ロ−ラ16と遮蔽板15の間で挟まれることにより搬送され、給送ロ−ラ2に再び導かれる。
【００２８】
給送ロ−ラ2に導かれたシ−トＳは一面目の印字時と同様のプロセスにより転写、定着を経て正逆転ロ−ラ8に搬送され、シ−ト積載トレイ9上に積載される。
【００２９】
シ−ト積載トレイ9は外装を兼ねている。
【００３０】
画像形成装置Ｍは両面プリントができる仕様の最大長さのシ−トＳがドラム、転写ロ−ラ対から光路の下側（ガイド12,13端部）までの両面搬送路に収納されるように構成されている。
【００３１】
（シ−ト搬送動作とレ−ザ−照射のタイミング）
次に、レ−ザ−照射のタイミングについて説明する。
【００３２】
シ−トＳの1面の印字を行いスイッチバックして光路14を横切る時には、給送部にあるシ−トＳのプリントは行なわず待機する。
【００３３】
2面のシ−トＳの後端がレジストロ−ラ５を抜けると給送部にあるシ−トＳはプリント可能になる。
【００３４】
上述した動作を図2にてフロ−チャ−トにて示す。
【００３５】
両面搬送路でシ−トＳが光路14を横切っている時にはレ−ザ−照射は行なわない。
【００３６】
次にカ−トリッジについて説明する。
【００３７】
図3はカ−トリッジCを示す側面図である。
【００３８】
図においてC1はドラム5と同軸にあるボスである。
【００３９】
ボスC1はカ−トリッジの両脇に設けられている。
【００４０】
次にカ−トリッジCの画像形成装置M本体に対する着脱について説明する。
【００４１】
図4は図1における画像形成装置Mの積載トレイ9が開き、カ−トリッジCを取り外した状態を示す断面図である。
【００４２】
図4に示すように、積載トレイ9は正逆転ロ−ラー8の回転中心軸を中心に開閉可能である。
【００４３】
ガイド10,11と正逆転ロ−ラ8に圧接している従動ロ−ラ−8´は積載トレイ9に備えられており、開閉動作に伴いガイド10,11も揺動する。
【００４４】
18は従来例と同様に画像形成装置Mの両側板に設けられたカ−トリッジCの挿入のためのガイド部材である。ガイド部材18は従来例と同様に、それぞれの側板に設けられている。
【００４５】
スキャナー1は積載トレイ9が開くことによりレ−ザ−光が機械的に遮断されるように構成されている（不図示）。
【００４６】
図5はカ−トリッジCを装着する様子を示す図である。
【００４７】
図を用いて装着する様子を説明する。
【００４８】
外に延びているガイド10の搬送路と反対面にカ−トリッジCの上部を沿わせて挿入する。
【００４９】
これによりガイド18にカ−トリッジCのボスC1が乗り、カ−トリッジCはガイドされる。
【００５０】
ガイド10と挿入ガイド18によってガイドされながら挿入されて行き、挿入ガイド18に設けられた円弧18aにボスC1が入ることによりドラムの位置が決まる。
【００５１】
図1に戻って説明を続けると、カ−トリッジCはドラムの位置が決まりガイド12の先端部12aにカ−トリッジCの外壁が突き当たることによって回転方向の位置が規制され、カ−トリッジCの姿勢が決まる。
【００５２】
以上のような構成により以下の効果を得ることができる。
【００５３】
1）搬送ガイド10が積載トレイ9を開きカートリッジを挿入する時のガイドになっているので新たなカ−トリッジ挿入のための部材を必要としない。
【００５４】
よって、安価な構成でユ−ザ−は容易にカートリッジを挿入することができる。
【００５５】
2）積載トレイ9が排出ロ−ラ−8の回転中心を支点として開閉するので奥まったガイド部材10、弾性部材14がロ−ラー8に当たることなくスム−ズに開閉することができる。
【００５６】
（実施例２）
次に、本実施形態の第2の実施形態について説明する。
【００５７】
図6は本実施形態にかかる画像形成装置の概略構成を示す断面図である。
【００５８】
（画像形成装置の全体構成）
まず、図6を用いて画像形成装置の全体構成について説明する。
【００５９】
尚、第一の実施形態と同一の機能を成すものに関しては、同一符号を付す。
【００６０】
図に示すように積載トレイ9は排出ロ−ラー8に圧接する従動ロ−ラー8´の回転中心と概ね同軸を支点にして開閉する。
【００６１】
19は実施例1でも備えられていた両側板に設けられたカ−トリッジＣの挿入のためのガイドである。
【００６２】
20は両面搬送ガイドである。
【００６３】
実施例1と比較して積載トレイ9の開閉支点が変わったため挿入軌跡が異なり挿入ガイド19および搬送ガイド20の形状が異なっている。
【００６４】
プリント動作、カ-トリッジ挿入方法は実施例1と同様である。
【００６５】
以上のような構成により以下の効果を得ることができる。
【００６６】
1）搬送ガイド10が積載トレイ9を開きカートリッジを挿入する時のガイドになっているので新たなカ−トリッジ挿入のための部材を必要としない。
【００６７】
よって、安価な構成でユ−ザ−は容易にカ−トリッジを挿入することができる。
【００６８】
2）積載トレイ9が排出ロ−ラ−8に圧設する従動ロ−ラ8´の中心軸と同軸を支点として開閉するので奥まったガイド部材10、弾性部材14がロ−ラー8、従動ロ−ラー8´に当たることなくスム−ズに開閉することができ、さらに従動ロ−ラ−8´も回動に伴い動くことが無い。
【００６９】
3）搬送ガイド12がカ−トリッジＣの位置決めになっているので新たな位置決め部材が必要なく安価な構成にできる。
【００７０】
（実施例3）
次に、本実施形態の第3の実施形態について説明する。
【００７１】
図7は本実施形態にかかる画像形成装置の概略構成を示す断面図である。
【００７２】
（画像形成装置の全体構成）
まず、図7を用いて画像形成装置の全体構成について説明する。
【００７３】
尚、第一の実施形態と同一の機能を成すものに関しては、同一符号を付す。
【００７４】
図7において、21はドラムに潜像を形成するためのＬＥＤである。
【００７５】
搬送路が光路を横切らない構成であっても実施例1,2と同様な効果を得ることができる。
【００７６】
さらに、本実施例1,2ではシ−ト搬送ガイドが両面搬送ガイドであるが、複写装置にある多重印字のための搬送ガイドであっても同様の効果を得ることができる。
【図面の簡単な説明】
【００７７】
【図１】本発明の第1実施例に係わる画像形成装置の概略主断面図である。
【図２】本発明の第1実施例に係わるレーザ−照射タイミングを表すフロ−チャ−ト図。
【図３】本発明の第1実施例に係わるプロセスカ-トリッジの概略側面図である。
【図４】本発明の第1実施例に係わる画像形成装置で積載トレイを開いた状態を示す概略主断面図である。
【図５】本発明の第1実施例に係わる画像形成装置でプロセスカ−トリッジを挿入するための説明詳細図。である。
【図６】本発明の第2実施例に係わる画像形成装置で積載トレイを開いた状態を示す概略主断面図である。
【図７】本発明の第3実施例に係わる画像形成装置の概略主断面図である。
【符号の説明】
【００７８】
１  レーザ−スキャナユニット
２  給送ロ−ラ
３  分離パッド
４  ばね
5  感光ドラム
6  転写ロ−ラ
7  定着装置
8  正逆転ロ−ラ
8´  正逆転ロ−ラに圧接する従動ロ−ラ
9  シ−ト積載トレイ
10,11  光路より上部にあるシ−トガイド
12,13  光路より下部にあるシ−トガイド
14  シ−ト状弾性部材
15  外光遮蔽板
16  搬送ロ−ラ
17  シ−トガイド
18、19  カ-トリッジ挿入ガイド
20  光路より下部にあるシ−トガイド
21  ＬＥＤ
Ｓ  シート
Ｍ  画像形成装置
【図１】
2009031508.tif 000003
【図２】
2009031508.tif 000004
【図３】
2009031508.tif 000005
【図４】
2009031508.tif 000006
【図５】
2009031508.tif 000007
【図６】
2009031508.tif 000008
【図７】
2009031508.tif 000009